(57)【要約】【課題】発光部の長手方向の中央部の撓みを抑制しながら、意匠性を向上させることができる照明器具を提供する。【解決手段】照明器具１００は、被取付部材に取り付けられるライン状の本体部１と、光源部２ａを含み、本体部１の長手方向に沿って延び、本体部１の下側に取り付けられるライン状の発光部２と、本体部１および発光部２のうちの一方は、係止部１０を含み、本体部１および発光部２のうちの他方は、係止部１０によって係止される被係止部２０を含み、係止部１０および被係止部２０は、外部に露出することなくかつ発光部２の長手方向の中央部の撓みを抑制する態様で設けられている。【選択図】図１
2019008968.tif 000002
【特許請求の範囲】
【請求項１】
被取付部材に取り付けられるライン状の本体部と、
光源部を含み、前記本体部の長手方向に沿って延び、前記本体部の下側に取り付けられるライン状の発光部と、を備え、
前記本体部および前記発光部のうちの一方は、係止部を含み、
前記本体部および前記発光部のうちの他方は、前記係止部によって係止される被係止部を含み、
前記係止部および前記被係止部は、外部に露出することなくかつ前記発光部の長手方向の中央部の撓みを抑制する態様で設けられた、照明器具。
【請求項２】
前記係止部は、前記発光部の前記本体部に対する取り付けを妨げないが、前記発光部が前記本体部に取り付けられた後、前記被係止部の前記係止部からの外れを抑制する外れ抑制部を有する、請求項１に記載の照明器具。
【請求項３】
前記発光部が、前記本体部によって一時的に吊り下げられた後、前記本体部に取り付けられた状態になるように、前記被係止部は、仮係止部および本係止部を有している、請求項１または２に記載の照明器具。
【請求項４】
前記被係止部が棒状部を含み、
前記係止部が前記棒状部を受け入れる被挿入部を含む、請求項１〜３のいずれかに記載の照明器具。
【請求項５】
前記被挿入部は、前記棒状部が前記被挿入部から抜け出ることを抑制する突出部を有する、請求項４に記載の照明器具。
【請求項６】
前記被挿入部は、前記棒状部が前記被挿入部から抜け出ることを抑制するように曲がっている、請求項４に記載の照明器具。
【請求項７】
前記発光部が、前記本体部によって一時的に吊り下げられた後、前記本体部に取り付けられた状態になるように、前記被挿入部は曲がっている、請求項４〜６のいずれかに記載の照明器具。
【請求項８】
前記被挿入部は、互いに距離をおいて対向し、かつ、同一の形状を有する一対の鉛直プレート部にそれぞれ設けられた一対の切欠き部である、請求項４〜７のいずれかに記載の照明器具。
【請求項９】
前記本体部および前記発光部のうちの一方は、前記本体部および前記発光部の一方の長手方向の中央部にのみ前記係止部を含み、
前記本体部および前記発光部のうちの他方は、前記本体部および前記発光部の他方の長手方向の中央部にのみ前記被係止部を含む、請求項１〜８のいずれかに記載の照明器具。
【発明の詳細な説明】
【技術分野】
【０００１】
本発明は、被取付部材に取り付けられる直線状の照明器具に関する。
【背景技術】
【０００２】
従来から、以下の特許文献１に開示されているように、被取付部材、たとえば、天井の下のＣ型の梁から吊り下げられたボルトに取り付けられる直線状の照明器具が使用されている。直線状の照明器具は、被取付部材に取り付けられる本体部と、本体部に取り付けられる発光部とを有している。照明器具には、たとえば、約２４０ｃｍ程度の長さの長尺のものがある。
【先行技術文献】
【特許文献】
【０００３】
【特許文献１】特開２０１５−１３８６９０号公報
【発明の概要】
【発明が解決しようとする課題】
【０００４】
特許文献１に開示された従来の照明器具においては、発光部は、両端の近傍の２カ所で、本体部に固定される。そのため、直線状の照明器具がかなり長い場合、発光部の撓みが大きくなる。その結果、発光部の中央部に過度な応力が生じることにより、発光部の機能に支障が生じる場合がある。特に、発光部がＬＥＤ（Light Emit Diode）を含んでいる照明器具においては、発光部の中央部の撓みが大きいと、回路基板等に不具合が生じるおそれが増大する。
【０００５】
このような不具合の発生を防止するために、特許文献１に開示された従来の照明器具においては、本体部と発光部とは、発光部の下面に巻き付けられたバンド状の固定具によって互いに固定されている。しかしながら、発光部の下面にバンドが巻き付けられると、照明器具の意匠性が低下する。
【０００６】
本発明は、このような従来技術の有する課題に鑑みてなされたものである。そして、本発明の目的は、発光部における中央部の撓みを抑制しながら、意匠性を向上させることができる照明器具を提供することである。
【課題を解決するための手段】
【０００７】
上記課題を解決するために、本発明のある態様に係る照明器具は、被取付部材に取り付けられるライン状の本体部と、光源部を含み、前記本体部の長手方向に沿って延び、前記本体部の下側に取り付けられるライン状の発光部と、を備え、前記本体部および前記発光部のうちの一方は、係止部を含み、前記本体部および前記発光部のうちの他方は、前記係止部によって係止される被係止部を含み、前記係止部および前記被係止部は、外部に露出することなくかつ前記発光部の長手方向の中央部の撓みを抑制する態様で設けられている。
【発明の効果】
【０００８】
本発明によれば、発光部の長手方向の中央部の撓みを抑制しながら、意匠性を向上させる。
【図面の簡単な説明】
【０００９】
【図１】実施の形態１の照明器具の分解斜視図である。
【図２】実施の形態１の照明器具の係止部と被係止部との係止前の状態を示す斜視図である。
【図３】実施の形態１の照明器具の係止部と被係止部とが係合している時の状況を時系列的に示す側面図である。
【図４】実施の形態１の照明器具の係止部と被係止部とが係合した後の状態を示す断面図である。
【図５】実施の形態２の照明器具の係止部の斜視図である。
【図６】実施の形態２の照明器具の係止部と被係止部とが係止されている時の状況を時系列的に示す側面図である。
【図７】実施の形態３の照明器具の分解斜視図である。
【図８】実施の形態３の照明器具の係止部と被係止部とが係合する前の状態を示す斜視図である。
【図９】実施の形態３の照明器具の係止部と被係止部とが係合している時の状況を時系列的に示す側面図である。
【図１０】実施の形態３の照明器具の係止部と被係止部とが係合した後の状態を示す断面図である。
【図１１】実施の形態４の照明器具の係止部の斜視図である。
【発明を実施するための形態】
【００１０】
以下、図面を参照しながら、実施の形態の照明器具を説明する。以下の複数の実施の形態においては、同一の参照符号が付された部分同士は、図面上における形状に多少の相違があっても、特段の記載がない限り、互いに同一の機能を発揮するものとする。
【００１１】
（実施の形態１）
以下、図１〜図４を用いて、実施の形態１の照明器具１００を説明する。
【００１２】
図１に示されるように、実施の形態１の照明器具１００は、約２４０ｃｍ程度の長さを有し、仮想線分（図示せず）に沿ったライン形状をなしている。ここで仮想線分とは、長尺の照明器具の長手方向を定義するための仮想的な線分である。ただし、照明器具１００の長さは特に限定されない。照明器具１００は、たとえば、駅の上家を支持するＣ型鋼の下側に設置される。照明器具１００は、長尺の本体部１とそれに対応する長尺の発光部２とを備えている。２４０ｃｍ程度の長さは、照明器具としては比較的長い部類の照明器具である。
【００１３】
図１に示されるように、本体部１は、全体の外形としては、約２４０ｃｍの長手方向（仮想線分）に沿って延びるライン形状を有している。本体部１は、長尺の容器の外形を有しており、その容器が上下逆に配置された形状となっている。具体的には、本体部１は、長方形の板状の水平面部１ａと、水平面部１ａの４辺を取り囲むように、水平面部１ａの４つの辺からそれぞれ垂直方向に垂れ下がる４つの側壁部１ｂと、を備えている。本体部１は、被取付部材に取り付けられるように構成されている。具体的には、本体部１は、吊りボルト５０が挿入される貫通孔１ｘを有している。
【００１４】
本実施の形態においては、被取付部材は、Ｃ型鋼等に取り付けられた吊りボルト５０である。貫通孔１ｘに挿入された吊りボルト５０の雄ねじ部がナット５１の雌ねじ部でネジ留めされ、本体部１の高さ位置が決定される。本実施の形態においては、本体部１の２カ所が吊りボルト５０で吊り下げられるため、本体部１の中央部の撓みは、ある程度、抑制されている。
【００１５】
図１に示されるように、発光部２は、約２４０ｃｍの長手方向（仮想線分）に沿って延びるライン形状を有している。発光部２は、本体部１の下側に取り付けられるように構成されている。発光部２は、水平に延びる長尺の水平プレート部２ｂを含んでいる。水平プレート部２ｂの下側面には、複数の光源部２ａが取り付けられている。また、水平プレート部２ｂの下側面には、この複数の光源部２ａを覆うように半透明のアクリル樹脂製のカバープレート２ｄが設けられている。複数の光源部２ａが発した光は、カバープレート２ｄを通過して下方に拡散して照射される。光源部２ａは、たとえば、発光ダイオードを透明樹脂で被覆したものである。発光部２は、水平プレート部２ｂの幅方向の両端の近傍の位置からそれぞれ鉛直方向に延びるように設けられた一対のリブ部２ｃを含んでいる。一対のリブ部２ｃは、互いに平行に延び、対向している。一対のリブ部２ｃは、容器の形状を有する本体部１の側壁部１ｂの内側へ挿入される。
【００１６】
それにより、発光部２は、本体部１に取り付けられる。発光部２を本体部１に取り付けるときには、ボルト２５が、貫通孔２ｙおよび貫通孔１ｙに挿入され、ボルト留めによって発光部２が本体部１に固定される。本実施の形態においては、本体部１および発光部２の一方端の近傍および他方端の近傍で、本体部１と発光部２とのボルト留めがなされる。ただし、ボルト留め以外の他の固定手段によって、本体部１および発光部２の一方端の近傍および他方端の近傍で、本体部１と発光部２とが固定されてもよい。
【００１７】
図１に示されるように、本実施の形態においては、本体部１が本体部１の長手方向の中央に相当する位置に係止部１０を有している。係止部１０は、発光部２を本体部１へ取り付ける前に、本体部１の他の部分にネジ留めまたは溶接等の接合手段によって一体化されている。本実施の形態においては、発光部２が発光部２の長手方向の中央に相当する位置に係止部１０によって係止される被係止部２０を有している。被係止部２０は、発光部２を本体部１へ取り付ける前に、発光部２の他の部分にネジ留めまたは溶接等の接合手段によって一体化されている。本実施の形態においては、「係止」との文言は、一組の部材同士が、引っ掛かることによって、互いの移動が制限されることを意味しているものとする。照明器具１００が被取付部に取り付けられた状態では、係止部１０と被係止部２０は、いずれも、照明器具１００の露出部の内側に内包され、外部から見えない。
【００１８】
本実施の形態においては、被係止部２０が、取り外し可能な状態で、係止部１０によって吊り下げられる。本実施の形態においては、係止部１０および被係止部２０は、発光部２の下面に巻き付けられるバンド部を有していない。つまり、係止部１０および被係止部２０は、外部に露出しない。また、発光部２の長手方向の中央部の撓みを抑制するように、発光部２の長手方向の中央部に設けられている。そのため、発光部２の中央部の撓みを抑制しながら、発光部の意匠性を向上させることができる。
【００１９】
また、ネジ留め等の作業を必要とせず、被係止部２０を係止部１０に引っ掛ける作業により、発光部２の中央部の撓みを抑制することができる。そのため、発光部２の本体部１に対する取り付けおよび取り外しの作業効率を向上させることができる。
【００２０】
なお、係止部１０と被係止部２０とは、互いに係合する形状を有していれば、同一の形状を有していてもよい。
【００２１】
図２に示されるように、係止部１０および被係止部２０は、具体的には、次のような構造を有している。
【００２２】
図２に示されるように、被係止部２０は、互いに平行な状態で対向する一対の鉛直プレート部２２と、一対の鉛直プレート部２２同士を接続する水平プレート部２１とを備えている。被係止部２０は、一対の鉛直プレート部２２のそれぞれに固定された円柱状の棒状部２３を含んでいる。
【００２３】
図２に示されるように、係止部１０は、水平プレート部１１と、その両端から垂れ下がる一対の鉛直プレート部１２を含んでいる。一対の鉛直プレート部２２は、それぞれ、被係止部２０の棒状部２３を受け入れる一対の切欠き部１３を含んでいる。一対の切欠き部１３は、棒状部２３が挿入される被挿入部として機能する。一対の切欠き部１３は、それぞれ、斜め上方に延びる一対の導入部１３ａと、一対の切欠き部１３の最上部のそれぞれから斜め下方に延びる一対の装着部１３ｂと、含んでいる。ただし、一対の切欠き部１３の代わりに、棒状部２３が挿入される被挿入部として、たとえば、ブロック状の部材に形成された１つの溝部が用いられてもよい。
【００２４】
本実施の形態の係止部１０および被係止部２０によれば、簡単な構造で、発光部２の本体部１に対する取り付けおよび取り外しの作業効率を向上させることができる。ただし、係止部１０および被係止部２０の構造は、一対の切欠き部１３および棒状部２３を有しているものに限定されない。
【００２５】
たとえば、係止部１０および被係止部２０は、それぞれ、同一形状のフック部を有しており、フック部同士が互いに係合してもよい。また、係止部１０および被係止部２０は、それぞれ、フック部とそのフック部とが引っ掛けられる貫通孔との組合せであってもよい。
【００２６】
本実施の形態の一対の切欠き部１３は、それぞれ、棒状部２３が一対の切欠き部１３から抜け出ることを抑制する一対の突出部１３ｇを有している。一対の突出部１３ｇは、棒状部２３が一対の切欠き部１３の一対の装着部１３ｂまで圧入され得る程度に突出している。したがって、一対の突出部１３ｇは、作業員による発光部２の本体部１に対する取り付けを妨げないが、発光部２が本体部１に取り付けられた後、被係止部２０が係止部１０から外れることを抑制する外れ抑制部として機能する。そのため、発光部２が本体部１から抜け落ちることを抑制することができる。また、一対の突出部１３ｇによれば、簡単な構造で、発光部２が本体部１から抜け落ちることを抑制することができる。
【００２７】
また、図２に示されるように、一対の切欠き部１３は、それぞれ、互いに距離をおいて対向し、かつ、同一の形状を有する一対の鉛直プレート部１２に設けられている。つまり、棒状部２３は、２カ所で支持されている。そのため、発光部２と本体部１とは、互いに取り付けられたときに、それらの状態が安定する。
【００２８】
図３に示されるように、発光部２の本体部１への取り付けのときには、作業員は、発光部２を両手で持ち上げた状態で、棒状部２３が一対の切欠き部１３に挿入されるように発光部２を移動させる。棒状部２３は、一対の導入部１３ａを通過し、一対の突出部１３ｇを乗り越えることにより、一対の装着部１３ｂに嵌り込む。棒状部２３が一対の突出部１３ｇを乗り越えるときには、一対の突出部１３ｇが弾性変形することによって、棒状部２３が一対の導入部１３ａから一対の装着部１３ｂまで通過する。
【００２９】
図４に示されるように、発光部２が本体部１に取り付けられる。このように、一対の突出部１３ｇは、棒状部２３が一対の装着部１３ｂに嵌り込んだ状態では、棒状部２３が一対の切欠き部１３から外れることを抑制する。
【００３０】
本実施の形態においては、本体部１は、その中央部にのみ係止部１０を含み、発光部２は、その中央部にのみ被係止部２０を含んでいる。この場合、係止部１０とそれに対応する被係止部２０とが１カ所に設けられるだけであるため、係止部１０とそれに対応する被係止部２０とが複数カ所に設けられる場合に比較して、本体部１に対する発光部２の取り付けが容易である。
【００３１】
ただし、発光部２の中央部の撓みを抑制しながら、発光部の意匠性を向上させることができるのであれば、本体部１が複数の係止部１０を含み、発光部２が複数の係止部１０にそれぞれ引っ掛けられる複数の被係止部２０を含んでいてもよい。係止部１０および被係止部２０は、外部に露出することなくかつ発光部２の長手方向の中央部の撓みを抑制する態様で設けられていれば、いかなるものであってもよい。
【００３２】
（実施の形態２）
以下、図５〜図６を用いて、実施の形態２の照明器具１００を説明する。
【００３３】
本実施の形態の照明器具１００は、実施の形態１の照明器具とほぼ同一であるので、その同一である部分の説明は繰り返さない。本実施の形態の照明器具１００は、以下に説明する事項に関して、実施の形態１の照明器具１００と異なっている。
【００３４】
本実施の形態においては、図５および図６に示されるように、発光部２が、本体部１によって一時的に吊り下げられた後、本体部１に取り付けられた状態になるように、係止部１０は、仮係止部１３ｋおよび本係止部１３ｈを有している。そのため、発光部２の本体部１に対する取り付けおよび取り外しの作業効率をさらに向上させることができる。たとえば、発光部２の本体部１に対する取り付けおよび取り外しの作業を一人で実行することが可能になる。
【００３５】
より具体的には、図５および図６に示されるように、一対の切欠き部１３は、それぞれ、仮係止部１３ｋの位置で、下側に屈曲部の先端が向くように曲がっている。そのため、棒状部２３が仮係止部１３ｋにある状態で、発光部２が本体部１によって一時的に吊り下げされる。その後、棒状部２３が本係止部１３ｈまで押し上げられる。
【００３６】
この状態で、図１に示された２つのボルト２５が、それぞれ、貫通孔２ｙおよび貫通孔１ｙに挿入され、それにより、ボルト留めによって発光部２が本体部１に固定される。これによれば、簡単な構造で、発光部２の本体部１に対する取り付けおよび取り外しの作業効率をさらに向上させることができる。また、作業者一人のみで、発光部２を本体部１に取り付けることが可能になる。
【００３７】
また、図５および図６に示されるように、本実施の形態においては、前述のように、一対の切欠き部１３は、それぞれ、棒状部２３が一対の切欠き部１３から抜け出ることを抑制するように曲がっている。これによっても、発光部２が本体部１から抜け落ちることを抑制することができる。
【００３８】
（実施の形態３）
以下、図７〜図１０を用いて、実施の形態３の照明器具１００を説明する。
【００３９】
本実施の形態の照明器具１００は、実施の形態１の照明器具とほぼ同一であるので、その同一である部分の説明は繰り返さない。本実施の形態の照明器具１００は、以下に説明する事項に関して、実施の形態１の照明器具１００と異なっている。
【００４０】
図７に示されるように、本実施の形態においては、発光部２が、その長手方向の中央に相当する位置に係止部１０を有している。また、本体部１が、その長手方向の中央に相当する位置に係止部１０によって係止される被係止部２０を有している。つまり、本実施の形態の照明器具１００は、実施の形態１および２の照明器具１００と対比すると、係止部１０および被係止部２０が上下逆に配置されている点において異なっている。
【００４１】
本実施の形態においては、被係止部２０は、発光部２を本体部１へ取り付ける前に、本体部１の他の部分にネジ留めまたは溶接等の接合手段によって一体化されている。係止部１０は、発光部２を本体部１へ取り付ける前に、発光部２の他の部分にネジ留めまたは溶接等の接合手段によって一体化されている。
【００４２】
本実施の形態においては、係止部１０が、取り外し可能な状態で、被係止部２０によって吊り下げられる。そのため、発光部２の本体部１に対する取り付けおよび取り外しの作業効率を向上させることができる。なお、本実施の形態においても、係止部１０と被係止部２０とは同一の形状を有していてもよい。
【００４３】
図８に示されるように、本実施の形態においては、被係止部２０の形状は、実施の形態１および２の被係止部２０の形状と同一であるが、被係止部２０は、本体部１の一部として設けられている。
【００４４】
図８に示されるように、本実施の形態においても、係止部１０は、一対の鉛直プレート部２２に被係止部２０の棒状部２３を受け入れる一対の切欠き部１３を有している。本実施の形態においては、一対の切欠き部１３は、それぞれ、鉛直プレート部１２の上面から斜め下方に延びる一対の導入部１３ｅと、一対の切欠き部１３の最下部のそれぞれから水平に延びる一対の装着部１３ｆと、含んでいる。
【００４５】
図９に示されるように、発光部２の本体部１への取り付けのときには、作業員が発光部２を両手で持ち上げた状態で、棒状部２３が一対の切欠き部１３に挿入されるように、発光部２を移動させる。棒状部２３は、一対の導入部１３ｅを通過し、突出部１３ｇを乗り越えることにより、一対の装着部１３ｆに嵌り込む。その結果、図１０に示されるように、発光部２が本体部１に取り付けられる。
【００４６】
本実施の形態においては、本体部１は、その中央部にのみ被係止部２０を含み、発光部２は、その中央部にのみ係止部１０を含んでいる。本実施の形態においても、係止部１０とそれに対応する被係止部２０とが１カ所に設けられるだけであるため、係止部１０とそれに対応する被係止部２０とが複数カ所に設けられる場合に比較して、本体部１に対する発光部２の取り付けが容易である。
【００４７】
ただし、発光部２の中央部の撓みを抑制しながら、発光部の意匠性を向上させることができるのであれば、本体部１が複数の被係止部２０を含み、発光部２が複数の係止部１０を含んでいてもよい。つまり、係止部１０および被係止部２０は、外部に露出することなく発光部２の長手方向の中央部の撓みを抑制する態様で設けられていれば、いかなるものであってもよい。
【００４８】
（実施の形態４）
以下、図１１を用いて、実施の形態４の照明器具１００を説明する。
【００４９】
本実施の形態の照明器具１００は、実施の形態３の照明器具とほぼ同一であるので、その同一である部分の説明は繰り返さない。本実施の形態の照明器具１００は、以下に説明する事項に関して、実施の形態３の照明器具１００と異なっている。
【００５０】
図１１に示されるように、一対の切欠き部１３は、鉛直プレート部１２の側端面から斜め下方に延びる一対の導入部１３ｅと、一対の導入部１３ｅの下端から斜め上方に延びる一対の装着部１３ｆを有している。つまり、一対の切欠き部１３は、それぞれ、屈曲部有するように折れ曲がっている。また、一対の切欠き部１３は、突出部１３ｇを有している。これによっても、棒状部２３が一対の切欠き部１３から抜け出ることを抑制する。したがって、発光部２が本体部１から抜け落ちることを抑制することができる。
【００５１】
以下、実施の形態の照明器具１００の特徴的構成およびそれにより得られる効果を説明する。
【００５２】
（１）  照明器具１００は、ライン状の本体部１およびライン状の発光部２を備えている。ライン状の本体部１は、被取付部材に取り付けられる。ライン状の発光部２は、光源部２ａを含み、本体部１の下側に取り付けられる。本体部１および発光部２のうちの一方は、係止部１０を含む。本体部１および発光部２のうちの他方は、係止部１０によって係止される被係止部２０を含む。係止部１０および被係止部２０は、外部に露出することなくかつ発光部２の長手方向の中央部の撓みを抑制する態様で設けられている。これによれば、発光部２の長手方向の中央部の撓みを抑制しながら、照明器具１００の意匠性を向上させることができる。
【００５３】
（２）  係止部１０は、発光部２の本体部１に対する取り付けを妨げないが、発光部２が本体部１に取り付けられた後、被係止部２０の係止部１０からの外れを抑制する外れ抑制部（たとえば、突出部１３ｇ）を有していてもよい。これによれば、発光部２が本体部１から抜け落ちることを抑制することができる。
【００５４】
（３）  発光部２が、本体部１によって一時的に吊り下げられた後、本体部１に取り付けられた状態になるように、被係止部２０は、仮係止部１３ｋおよび本係止部１３ｈを有していてもよい。これによれば、発光部２の本体部１に対する取り付けおよび取り外しの作業効率をさらに向上させることができる。
【００５５】
（４）  被係止部２０が棒状部２３を含み、係止部１０が棒状部２３を受け入れる被挿入部（たとえば、一対の切欠き部１３、または、１つの溝）を含んでいてもよい。これによれば、簡単な構造で、発光部２の本体部１に対する取り付けおよび取り外しの作業効率を向上させることができる。
【００５６】
（５）  被挿入部（たとえば、一対の切欠き部１３）は、棒状部２３が被挿入部から抜け出ることを抑制する突出部１３ｇを有していてもよい。これによれば、簡単な構造で、発光部２が本体部１から抜け落ちることを抑制することができる。
【００５７】
（６）  被挿入部（たとえば、一対の切欠き部１３）は、棒状部２３が被挿入部から抜け出ることを抑制するように曲がっていてもよい。これによっても、発光部２が本体部１から抜け落ちることを抑制することができる。
【００５８】
（７）  発光部２が、本体部１によって一時的に吊り下げられた後、本体部１に取り付けられた状態になるように、被挿入部（たとえば、一対の切欠き部１３）は曲がっていてもよい。これによれば、簡単な構造で、発光部２の本体部１に対する取り付けおよび取り外しの作業効率をさらに向上させることができる。
【００５９】
（８）  被挿入部は、互いに距離をおいて対向し、かつ、同一の形状を有する一対の鉛直プレート部１２にそれぞれ設けられた一対の切欠き部１３を含んでいてもよい。これによれば、発光部２と本体部１とが互いに取り付けられた状態で安定する。
【００６０】
（９）  本体部１および発光部２のうちの一方は、本体部１および発光部２のうちの一方の中央部にのみ係止部１０を含み、本体部１および発光部２のうちの他方は、本体部１および発光部２のうちの他方の中央部にのみ被係止部２０を含んでいてもよい。これによれば、係止部１０とそれに対応する被係止部２０とが１カ所に設けられるだけであるため、係止部１０とそれに対応する被係止部２０とが複数カ所に設けられる場合に比較して、本体部１に対する発光部２の取り付けが容易になる。
【符号の説明】
【００６１】
１  本体部
２  発光部
１０  係止部
１２，２２  鉛直プレート部
１３  切欠き部（被挿入部）
１３ｇ  突出部（外れ抑制部）
１３ｈ  本係止部
１３ｋ  仮係止部
２０  被係止部
２３  棒状部
１００  照明器具
【図１】
2019008968.tif 000003
【図２】
2019008968.tif 000004
【図３】
2019008968.tif 000005
【図４】
2019008968.tif 000006
【図５】
2019008968.tif 000007
【図６】
2019008968.tif 000008
【図７】
2019008968.tif 000009
【図８】
2019008968.tif 000010
【図９】
2019008968.tif 000011
【図１０】
2019008968.tif 000012
【図１１】
2019008968.tif 000013